(57)【特許請求の範囲】
【請求項１】
カラー画像の各画素の色を発光色の異なる３種のセルの発光量の制御によって再現するガス放電表示装置であって、
前記３種のセルに放電ガスが封入され、
第１種のセルに赤色光を発する第１の蛍光体が配置され、
第２種のセルに緑色光を発する第２の蛍光体が配置され、
第３種のセルに青色光を発する第３の蛍光体が配置され、
白色を再現するときの前記３種のセルにおける前記第１、第２および第３の蛍光体の発光の混合色が、色度図において黒体軌跡に対して偏差が生じる色度座標で表される色に設定され、
前記３種のセルの前側に、前記混合色に前記放電ガスの発光色が混じった色をそれよりも色温度が高くて前記黒体軌跡に近く、且つ前記黒体軌跡に対して負の偏差が生じる色度座標で表される色に変える分光特性をもつフィルタが配置された
ことを特徴とするガス放電表示装置。
【請求項２】
表示負荷率が１０％の場合において白色を再現するときの前記３種のセルにおける前記第１、第２および第３の蛍光体の発光の混合色が、色度図において黒体軌跡に対して偏差が生じる色度座標で表される色に設定され、
前記３種のセルの前側に、前記混合色に前記放電ガスの発光色が混じった色をそれよりも色温度が高くて前記黒体軌跡に近く、且つ前記黒体軌跡に対して負の偏差が生じる色度座標で表される色に変える分光特性をもつフィルタが配置された
請求項１記載のガス放電表示装置。
【請求項３】
前記３種のセルの構造条件が意図的に不均等とされた
請求項１記載のガス放電表示装置。
【請求項４】
前記構造条件は、ガス放電を生じさせるための電極の実効面積である
請求項３記載のガス放電表示装置。
【請求項５】
前記３種のセルはそれらの発光色を特徴づける蛍光体を有し、
前記構造条件は、蛍光体の発光面積である
請求項３記載のガス放電表示装置。
【請求項６】
前記構造条件は、ガス放電を生じさせるための電極を被覆する誘電体層の厚さである
請求項３記載のガス放電表示装置。
【請求項７】
前記フィルタは、可視波長域における最も透過率の小さい波長が５６０乃至６１０ナノメートルの範囲内の値である波長選択吸収特性をもつ
請求項１記載のガス放電表示装置。
【発明の詳細な説明】
【０００１】
【発明の属する技術分野】
本発明は、ＰＤＰ（Ｐｌａｓｍａ  Ｄｉｓｐｌａｙ  Ｐａｎｅｌ：プラズマディスプレイパネル）に代表される発光デバイスを用いたガス放電表示装置に関する。
【０００２】
ＰＤＰは、カラー表示の実用化を機に大画面のテレビジョンとして普及しつつある。ＰＤＰにおける画質に関する課題の１つに再現可能な色範囲の拡大がある。
【０００３】
【従来の技術】
カラー表示デバイスとして、３電極面放電構造のＡＣ型ＰＤＰが商品化されている。これは、マトリクス表示のライン（行）毎に点灯維持のための一対の主電極が平行に配列され、列毎に１本づつアドレス電極が配置され、単位発光素子であるセルに計３本の電極が係わるものである。面放電構造においては、主電極対を配置した基板と対向する他方の基板上にカラー表示のための蛍光体層を配置することによって、放電時のイオン衝撃による蛍光体層の劣化を軽減し、長寿命化を図ることができる。
【０００４】
カラー表示において、画像の個々の画素には３個のセルが対応づけられる。各画素の表示色はＲ（赤），Ｇ（緑），Ｂ（青）の３色の蛍光体の発光量を制御することによって設定される。従来では、Ｒ，Ｇ，Ｂの発光量をそれぞれの信号強度可変範囲内の最大値としたときの表示色が白色となるように、蛍光体の組成及び３色の発光強度比が選定されていた。
【０００５】
【発明が解決しようとする課題】
ガス放電によるカラー表示では、蛍光体の発光色に放電ガスの発光色が混じってしまうことが避けられない。放電ガスの発光はＰＤＰの色再現性を損なう。
【０００６】
図１２はネオン（Ｎｅ）とキセノン（Ｘｅ）の２成分ガスの発光スペクトルを示す図である。同図中にＲ，Ｇ，Ｂの蛍光体の発光ピークの一例が破線で示されている。同図からわかるように、放電ガスの発光ピークはＲの蛍光体の最大発光ピーク（５８５ｎｍ）の近傍に位置している。これは放電ガス中のネオンガス成分によるものである。このため、蛍光体による再現色に係わらずネオンガスの発光による赤色が加わり、画面の全体にわたって赤色がかった表示となるため、赤・緑・青の全ての色の色純度が低下する。その中でも特に、青色の表示能力が低下する。また、白色画素の表示色は、３色の蛍光体による再現色と比べて色温度値が低い色となってしまう。
【０００７】
本発明は、放電ガスの発光の影響を低減し、色再現性を高めることを目的としている。
【０００８】
【課題を解決するための手段】
図１は本発明における発光色と表示色との関係を示す色度図である。図中、黒体軌跡は太い曲線で描かれている。
【０００９】
本発明においては、放電ガス中の例えばネオンガス成分の放つ光を減衰させるフィルタを設けるとともに、このフィルタによる減衰を見込んで、予め蛍光体による色再現の白バランス（３色の発光強度比）を意図的に“最適値”  と異なる“特定値”  にずらしておく。この“最適値”  及び“特定値”  が重要である。“最適値”  とは、色度図における黒体軌跡上の色度座標で表される近傍の色（純粋な白色）を再現する値である。なお、この“最適値”  は、黒体軌跡上の点から若干負の値を有する点（偏差量で０．０００〜−０．００５ｕｖ）の間に設定することが望ましい。また“最適値”  については、表示装置の用途や使用地域（国）によって好ましい白色（色温度）が異なるので、それら使用用途に合致する好ましい白色に応じて“最適値”  を設定する必要がある。そして、“特定値”  とは黒体軌跡に対する偏差が正、もしくは負となる色度座標で表される色を再現する値である。図１において最適値の一例が丸印で表され、これに対応した特定値が黒丸印で表されている。３色の蛍光体の発光により生じる黒丸印の色度の光は、フィルタを透過して表示光となる。フィルタはガス発光に対応した可視波長範囲の光を選択的に吸収し、表示色度座標値を黒丸印の色度から丸印の色度へ変える。例えば図１２の発光スペクトルを有する放電ガスを用いる場合、ネオンガスによる発光を除去するフィルタを用い、且つＲ，Ｇ，Ｂの発光バランスを制御することで表示色は発光色よりも色温度の高い色になる。
【００１０】
最適値を黒体軌跡上の点から若干負の値を有する点（偏差量で０．０００〜−０．００５ｕｖ）の間に設定する理由を説明する。表示色の改善のための研究において、本出願人は白色表示時の色度が表示負荷率によって変化するという現象に注目した。なお、表示負荷率とは、表示可能総面積に対する表示面積（点灯部面積）の割合である。図１３のようにガス放電によるカラー表示では、表示負荷率の増大につれて白色表示の色温度が低下し、色温度偏差量が正の方向に大きくなるという傾向がある。色温度の低下は表示される白色が黄色っぽく色付いて見えることを意味する。そして、色温度偏差量が正の方向に大きくなることは、表示される白色が緑っぽく色付いて見えることを意味する。視覚は緑色に対して敏感であるので、黒体軌跡に対する正の方向への偏差の増大は、顕著な色ずれとして知覚されてしまう。したがって、表示負荷率が小さい場合（例えば表示負荷率が１０％程度）の白色色度を黒体軌跡上の点から若干負の値を有する点（偏差量で０．０００〜−０．００５ｕｖ）の間に選定し、この色度値を最適値に設定することが望ましい。この場合、表示負荷率が増大した際には、黒体軌跡を跨ぐ形で色温度偏差量が正の方向へ大きくなるため、黒体軌跡からの偏差量が小さくなり、人間の視覚的に色ずれが目立たないものとなる。
【００１１】
以上のように発光色の選定と波長選択性のフィルタの採用とにより、表示色の改善を図ることが可能である。ただし、フィルタで放電ガスの発光色のみを選択的に除去することは困難である。何故なら図１２に示したように、ネオンガスの発光スペクトルと赤色蛍光体の発光スペクトルが波長的に近い位置に存在するからである。よって蛍光体の放つ光もフィルタによってある程度は減衰する。これの対処として、フィルタで減衰する波長域の光を減衰する分だけ、蛍光体の放つ光の量が多くなるようにする。例えば、ネオンガスによる発光を除去するフィルタを設ける場合、赤・緑・青の蛍光体のうちの赤の発光量を多めにする。この蛍光体の発光量を多くする手段としては、発光輝度の高い材料の採用、素子構造の変更によって放電強度や発光面積を増大する方法がある。
【００１２】
請求項１の発明の装置は、カラー画像の各画素の色を発光色の異なる３種のセルの発光量の制御によって再現するガス放電表示装置であって、前記３種のセルに放電ガスが封入され、第１種のセルに赤色光を発する第１の蛍光体が配置され、第２種のセルに緑色光を発する第２の蛍光体が配置され、第３種のセルに青色光を発する第３の蛍光体が配置され、白色を再現するときの前記３種のセルにおける前記第１、第２および第３の蛍光体の発光の混合色が、色度図において黒体軌跡に対して偏差が生じる色度座標で表される色に設定され、前記３種のセルの前側に、前記混合色に前記放電ガスの発光色が混じった色をそれよりも色温度が高く且つ前記黒体軌跡に近く、且つ前記黒体軌跡に対して負の偏差が生じる色度座標で表される色に変える分光特性をもつフィルタが配置されたものである。
【００１３】
請求項２の発明のガス放電表示装置は、表示負荷率が１０％の場合において白色を再現するときの前記３種のセルにおける前記第１、第２および第３の蛍光体の発光の混合色が、色度図において黒体軌跡に対して偏差が生じる色度座標で表される色に設定され、前記３種のセルの前側に、前記混合色に前記放電ガスの発光色が混じった色をそれよりも色温度が高くて前記黒体軌跡に近く、且つ前記黒体軌跡に対して負の偏差が生じる色度座標で表される色に変える分光特性をもつフィルタが配置されたものである。
【００１４】
請求項３の発明のガス放電表示装置において、前記３種のセルの構造条件が意図的に不均等とされている。
請求項４の発明のガス放電表示装置における前記構造条件は、ガス放電を生じさせるための電極の実効面積である。
【００１５】
請求項５の発明のガス放電表示装置において、前記３種のセルはそれらの発光色を特徴づける蛍光体を有し、前記構造条件は蛍光体の発光面積である。
請求項６の発明のガス放電表示装置において、前記構造条件は、ガス放電を生じさせるための電極を被覆する誘電体層の厚さである。
【００１６】
請求項７の発明のガス放電表示装置において、前記フィルタは、可視波長域における最も透過率の小さい波長が５６０乃至６１０ナノメートルの範囲内の値である波長選択吸収性をもつ。
【００１７】
【発明の実施の形態】
図２は本発明に係る表示装置の構成図、図３はフィルタ機能の模式図である。図２の表示装置１００は、カラー表示デバイスであるＰＤＰ１、ＰＤＰ１の前面に密着形成、もしくはＰＤＰ１より離れた場所に設置されたフィルタ５１、ＰＤＰ１の各セルを表示内容に応じて点灯させる駆動ユニット８０、及び外装カバー９０からなる。図３のように、ＰＤＰ１は蛍光体の発光による赤・緑・青の各色の光ＬＲ  ，ＬＧ  ，ＬＢ  、及び放電ガスの発光による光Ｌｇを射出する。フィルタ５１は、表示面の全体に広がる大きさを有し、その光学特性は光Ｌｇを選択的に減衰させるように設計されている。なお、フィルタ５１としては、色素による光吸収を利用したフィルタが好適である。
【００１８】
図４はＰＤＰの内部の基本構造を示す分解斜視図である。
ＰＤＰ１は、点灯維持放電を生じさせるための電極対をなす第１及び第２の主電極Ｘ，Ｙが平行配置され、各セル（表示素子）において主電極Ｘ，Ｙと第３の電極としてのアドレス電極Ａとが交差する３電極面放電構造のＰＤＰである。主電極Ｘ，Ｙは画面のライン方向（水平方向）に延び、第２の主電極Ｙはアドレッシングに際してライン単位にセルを選択するためのスキャン電極として用いられる。アドレス電極Ａは列方向（垂直方向）に延びており、列単位にセルを選択するためのデータ電極として用いられる。基板面のうちの主電極群とアドレス電極群とが交差する範囲が表示面ＥＳとなる。
【００１９】
ＰＤＰ１では、前面側基板構造体の基材であるガラス基板１１の内面に、ライン毎に一対ずつ主電極Ｘ，Ｙが配列されている。ラインは画面における水平方向のセル列である。主電極Ｘ，Ｙは、それぞれが透明導電膜４１と金属膜（バス導体）４２とからなり、低融点ガラスからなる厚さ３０μｍ程度の誘電体層１７で被覆されている。誘電体層１７の表面にはマグネシア（ＭｇＯ）からなる厚さ数千オングストロームの保護膜１８が設けられている。アドレス電極Ａは、背面側基板構造体の基材であるガラス基板２１の内面に配列されており、厚さ１０μｍ程度の誘電体層２４によって被覆されている。誘電体層２４の上には、高さ１５０μｍの平面視直線帯状の隔壁２９が各アドレス電極Ａの間に１つずつ設けられている。これらの隔壁２９によって放電空間３０が行方向にサブピクセル（単位発光領域）毎に区画され、且つ放電空間３０の間隙寸法が規定されている。放電空間３０には主成分のネオン（Ｎｅ）にキセノン（Ｘｅ）を混合した放電ガスが充填されている。そして、アドレス電極Ａの上方及び隔壁２９の側面を含めて背面側の内面を被覆するように、カラー表示のための赤・緑・青の３色の蛍光体層２８Ｒ，２８Ｇ，２８Ｂが設けられている。蛍光体層２８Ｒ，２８Ｇ，２８Ｂは放電時にキセノンが放つ紫外線によって局部的に励起されて発光する。蛍光体の好適例を表１に示す。なお以下の説明では、放電ガスとして図１２に示した発光スペクトル分布を有するＮｅ−Ｘｅ（４％）組成ペニングガスを用いるものとする。
【００２０】
【表１】
0003625719.tif 000002
【００２１】
表示の１ピクセル（画素）は行方向に並んだ発光色の異なる３個のサブピクセルで構成される。各サブピクセル内の構造体がセル（表示素子）である。隔壁２９の配置パターンがストライプパターンであることから、放電空間３０のうちの各列に対応した部分は全てのラインに跨って列方向に連続している。隣り合うラインどうしの電極間隙は、面放電ギャップ（例えば８０〜１４０μｍの範囲内の値）より十分に大きく、列方向の放電結合を防ぐことのできる値（例えば４００〜５００μｍの範囲内の値）に選定される。点灯すべきセル（書込みアドレス形式の場合）又は点灯すべきでないセル（消去アドレス形式の場合）における主電極Ｙとアドレス電極Ａとの間でアドレス放電を生じさせてライン毎に点灯すべきセルのみに適量の壁電荷の存在する帯電状態を形成した後、主電極Ｘ，Ｙ間に点灯維持電圧Ｖｓを加えることにより、点灯すべきセルで基板面に沿った面放電を生じさせることができる。
【００２２】
上述したように、従来の技術では、ＰＤＰにてカラー表示を行う際には、赤・緑・青の３色の各蛍光体層の発光量を、それぞれの信号強度可変範囲内の最大値としたときにその表示色が白色となるように、蛍光体の組成及び３色の発光強度比が選定されてきた。この発光強度比の選定に際しては、発光輝度，表示色度，寿命特性等の点で実用可能な蛍光体材料を用いて検討を行う必要がある。しかし、前述した各種特性を満たす蛍光体材料は少なく、その中でも特に、青蛍光体は他の色の蛍光体に比べて相対的に低輝度であるという問題点を有している。そのため、実際には、青蛍光体材料の発光輝度を基準として、赤，緑蛍光体の発光輝度を調整（低減）することで、白色の色度座標ならびに色温度値を決定するという手法が採用されている。この手法を採用したＰＤＰにおいて、外光照度３００ルクスの環境下にて可視光平均透過率６７％のフィルタを用いた場合、白表示輝度２５０ｃｄ／ｍ２  ，色温度９４００Ｋ，色温度偏差量−０．００５ｕｖ，明室コントラスト１８という特性値が得られた。
【００２３】
これに対し、本発明ではネオンガスによる発光を除去するフィルタを用いることで、ネオンガス発光に起因する赤色を除去するとともに、赤・緑・青の発光バランスを制御することで白色の色度座標ならびに色温度値を決定することが可能となる。
【００２４】
本発明に則して、１画素の色再現にかかわる３個のセルにおけるＲ，Ｇ，Ｂの最大発光輝度の相対比率は、上述の特定値に設定されている。ＰＤＰ１において発光輝度の相対比率の設定は、蛍光体層２８Ｒ，２８Ｇ，２８Ｂの発光量の選定によって行われる。
【００２５】
まず、特定値を黒体軌跡に対する偏差が負となる色度に設定した場合について説明する。図５は第１実施例のフィルタの特性を示す図、図６は第１実施例の適用による色再現範囲の拡大の様子を示す図である。
【００２６】
第１実施例は上述した従来例に対し、赤蛍光体発光輝度を１．５倍、緑蛍光体発光輝度を１．３倍になるように調整したものである。特定値は色温度６２５０Ｋ，色温度偏差量−０．００１ｕｖであった。この特定値を有するＰＤＰ１に、図５のように、ネオンガスの最大発光波長（５８５ｎｍ）近辺の波長域（５６０〜６１０ｎｍ）に吸収ピークをもつ可視光透過特性のフィルタ５１を設けることにより、最適値として色温度９９００Ｋ，色温度偏差量−０．００１ｕｖを実現することが可能となる。また、外光照度３００ルクスの環境下にて、白表示輝度３２０ｃｄ／ｍ２  、明室コントラスト２２という表示特性値が得られた。図６では表示装置１００の色再現範囲を太い実線で示し、比較例として従来技術の色再現範囲を鎖線で示してある。また、図６中の黒四角印は本発明の適用によって表示される白色を示し、黒丸印は従来技術によって表示される白色を示している。本発明により、色再現範囲（図６の三角形で囲まれた面積）が従来の１．２６倍に拡大された。
【００２７】
次に、特定値を黒体軌跡に対する偏差が正となる色度に設定した場合について説明する。図７は第２実施例のフィルタの特性を示す図、図８は第２実施例の適用による色再現範囲の拡大の様子を示す図である。
【００２８】
第２実施例は上述した従来例に対し、赤蛍光体の発光輝度を１．５倍、緑蛍光体発光輝度を１．５倍になるように調整したものである。特定値は色温度６３００Ｋ，色温度偏差量＋０．００２ｕｖであった。この特定値を有するＰＤＰ１に、図７に示す本発明を応用したフィルタを設けることで、最適値として色温度９４００Ｋ，色温度偏差量−０．００４ｕｖを実現することが可能となる。また、外光照度３００ルクスの環境下にて、白表示輝度３２０ｃｄ／ｍ２  ，明室コントラスト２７という表示特性値が得られた。図８から明らかなように本実施例では色再現範囲が従来の１．２６倍に拡大された。
【００２９】
以上述べてきたように、本発明を用いることにより従来技術に比べ、ＰＤＰを用いた表示装置の色再現性を高めるとともに、表示輝度ならびに明室コントラスト値を向上させることが可能となる。なお、特定値を黒体軌跡に対する偏差が正、もしくは負のどちらに設定するかについては、ＰＤＰを用いた表示装置に要求される表示特性（例えば表示輝度、明室コントラスト値、寿命等）のうち、何を重視するかに合わせて、それに最適と思われる値に設定すれば良い。
【００３０】
また、フィルタ５１は放電空間３０の前側に配置される必要がある。その配置の形態には各種の選択肢があるが、材料選定及び製造工程などの観点からはＰＤＰ１のガラス基板１１の外側に設けることが望ましい。ガラス基板１１の外面に直接形成しても、ガラス基板１１の前側に設けた保護板に形成してもよい。ガラス基板１１又は保護板とは別の基材を用いて上述の特性の層を形成してフィルタ５１を作製する場合、基材としては、ガラス、アクリル樹脂、ポリカーボネイト樹脂、高分子フィルムなどが挙げられる。例えば、高分子フィルムの表面に適切な色素を分散させて所望の透過率特性を作り込み、得られたフィルム状のフィルタをガラス基板１１又は保護板に貼りつければよい。放電ガスの発光波長域の光を減衰させる色素としては、吸収ピーク（Ａｂｓｏｒｐｔｉｏｎ  Ｍａｘｉｍｕｍ）が５９０ｎｍである１−Ｅｔｈｙｌ−４−［（１−ｅｔｈｙｌ−４（１Ｈ）−ｑｕｉｎｏｌｉｎｙｌｉｄｅｎｅ）ｍｅｔｈｙｌ］ｑｕｉｎｏｌｉｎｉｕｍ  ｉｏｄｉｄｅ（株式会社  日本感光色素研究所  製品番号ＮＫ−６  ）、吸収ピークが５９４ｎｍである３−Ｅｔｈｙｌ−２−［３−（１−ｅｔｈｙｌ−４（１Ｈ）−ｑｕｉｎｏｌｉｎｙｌｉｄｅｎｅ）−１−ｐｒｏｐｅｎｙｌ］ｂｅｎｚｏｘａｚｏｌｉｕｍ  ｉｏｄｉｄｅ（株式会社  日本感光色素研究所  製品番号ＮＫ−７４１）等を使用することが可能である。これら色素及び他の色素の添加量を調整することで所望の特性が実現できる。
【００３１】
上述の実施形態のＰＤＰ１は、Ｒ，Ｇ，Ｂのセル構造が同一であるという条件のもとでＲ，Ｇ，Ｂの発光強度比率を設定するものであった。以下に説明する実施形態は、セル構造を相違させることによってＲ，Ｇ，Ｂの発光強度比率を設定するものである。なお、以下の説明は、特定値が黒体軌跡に対する偏差が負となるようにセル構造を変化させた場合のものである。
【００３２】
図９は第２のＰＤＰの電極構造を示す平面図である。
ＰＤＰ２も３電極面放電型であり、その基本構成はＰＤＰ１と同様である。ストライプ状に配列された隔壁２２９どうしの間に図示しない蛍光体層が配置され、隔壁配列方向に並んだ３個のセルが１画素となる。ＰＤＰ２では、主電極を構成する透明導電膜２４１及び金属膜２４２のうち、透明導電膜２４１の幅が均一ではない。すなわち、Ｒ及びＢのセルにおいて透明導電膜２４１が面放電ギャップ側に張り出し、部分的に幅広に形成されている。これにより、Ｒ及びＢのセルの電極面積がＧのセルより大きくなり、Ｒ，Ｇ，Ｂの輝度比を表示目標の白色を再現する値とする従来例と比べてＧのセルの発光量が相対的に弱まる。
【００３３】
図１０は第３のＰＤＰの要部の断面図である。
背面側のガラス基板３２１上にアドレス電極３Ａ及び隔壁３２９が配列され、隔壁間に蛍光体層３２８Ｒ，３２８Ｇ，３２８Ｂが形成されている。ＰＤＰ３では、Ｒ及びＢのセルのライン方向の寸法Ｄ１がＧのセルの寸法Ｄ２より長い。言い換えれば、Ｇの発光面積がＲ及びＢの発光面積より小さく、従来例と比べてＧのセルの発光量が相対的に小さくなる。
【００３４】
図１１は第４のＰＤＰの要部の断面図である。
前面側のガラス基板４１１の内面には主電極４１２及び誘電体層４１７が設けられている。背面側のガラス基板３２１上にはアドレス電極及び隔壁４２９が配列され、隔壁間に蛍光体層４２８Ｒ，４２８Ｇ，４２８Ｂが形成されている。ＰＤＰ４では、誘電体層４１７のうちのＲ及びＢのセルに対応した部分がＧのセルに対応した部分と比べて薄い。これにより、従来例と比べてＧのセルの発光量が相対的に小さくなる。
【００３５】
これら各セル構造を用いて、Ｒ，Ｇ，Ｂの発光強度比率を適宜設定することで既に述べたセル構造が同一である場合と同様に、本発明の効果を実現することができる。
【００３６】
なおＮｅ−Ｘｅペニングガス以外の放電ガスを用いる場合には、その放電ガスの発光色を除外するようにフィルタ特性を設定し、且つそのフィルタの分光特性に合致するようにＲ，Ｇ，Ｂ各色の発光強度を適宜設定すればよい。
【００３７】
【発明の効果】
請求項１乃至請求項７の発明によれば、放電ガスの発光の影響を低減し、色再現性を高めるとともに、画像表示装置として望ましい色温度値を有する白色を表示することが可能な、高品位のガス放電表示装置を実現することができる。
【図面の簡単な説明】
【図１】本発明における発光色と表示色との関係を示す色度図である。
【図２】本発明に係る表示装置の構成図である。
【図３】フィルタ機能の模式図である。
【図４】第１のＰＤＰの内部の基本構造を示す分解斜視図である。
【図５】第１実施例のフィルタの特性を示す図である。
【図６】第１実施例の適用による色再現範囲の拡大の様子を示す図である。
【図７】第２実施例のフィルタの特性を示す図である。
【図８】第２実施例の適用による色再現範囲の拡大の様子を示す図である。
【図９】第２のＰＤＰの電極構造を示す平面図である。
【図１０】第３のＰＤＰの要部の断面図である。
【図１１】第４のＰＤＰの要部の断面図である。
【図１２】ネオンとキセノンの２成分ガスの発光スペクトルを示す図である。
【図１３】表示負荷率と色温度との関係を示す図である。
【符号の説明】
１，２，３，４  ＰＤＰ
１００  表示装置（ガス放電表示装置）
５１  フィルタ
Ｒ，Ｇ，Ｂ  発光色
２８Ｒ，２８Ｇ，２８Ｂ  蛍光体
【図１】
0003625719.tif 000003
【図２】
0003625719.tif 000004
【図３】
0003625719.tif 000005
【図４】
0003625719.tif 000006
【図５】
0003625719.tif 000007
【図６】
0003625719.tif 000008
【図７】
0003625719.tif 000009
【図８】
0003625719.tif 000010
【図９】
0003625719.tif 000011
【図１０】
0003625719.tif 000012
【図１１】
0003625719.tif 000013
【図１２】
0003625719.tif 000014
【図１３】
0003625719.tif 000015